(57)【特許請求の範囲】
【請求項１】
槽体の排水口に設けられる栓蓋と、
前記槽体に対して上下動可能な支持軸とを備え、
前記栓蓋は、
その背面に設けられ、下方側に開口する取付穴を形成する取付穴形成部と、
前記取付穴形成部の内周に設けられるとともに、内周側に突出し、径方向に沿って弾性変形可能な爪部とを有し、
前記支持軸は、
その外周に設けられ、前記爪部が入り込み可能な凹部と、
前記凹部よりも上方側に設けられ、前記取付穴に挿通可能な頭部とを有し、
前記凹部に前記爪部が入り込むとともに、前記取付穴に前記頭部が挿通されることで、前記支持軸に対して前記栓蓋を取付可能であり、
前記栓蓋が取付けられた前記支持軸の下動に伴い、前記槽体又は前記槽体に設けられた部材である接触対象部に前記栓蓋の外縁部が接触することで、前記排水口を閉鎖可能な排水栓装置であって、
前記頭部上に前記爪部が載置され前記支持軸に対して前記栓蓋が非取付状態であり、かつ、前記栓蓋及び前記支持軸が同軸上に配置されている場合に、前記支持軸を、前記栓蓋が取付けられているときにおいて前記排水口を閉鎖可能となる位置よりも下方側に配置したとき、前記栓蓋の外縁部全周が前記接触対象部から離間することを特徴とする排水栓装置。
【請求項２】
前記頭部上に前記爪部が載置され前記支持軸に対して前記栓蓋が非取付状態であり、かつ、前記栓蓋及び前記支持軸が同軸上に配置されているときにおける前記支持軸に対する前記栓蓋の上方側への突出量を、前記支持軸に対して前記栓蓋が取付けられた状態における前記支持軸に対する前記栓蓋の上方側への突出量よりも３ｍｍ以上大きくしたことを特徴とする請求項１に記載の排水栓装置。
【請求項３】
前記支持軸に取付けられた前記栓蓋の外縁部が前記接触対象部に接触した状態において、前記支持軸に対して下方側に向けた力が加えられていることを特徴とする請求項１又は２に記載の排水栓装置。
【発明の詳細な説明】
【技術分野】
【０００１】
本発明は、槽体の排水口に設けられる排水栓装置に関する。
【背景技術】
【０００２】
排水栓装置は、槽体（例えば、浴槽や洗面器など）の排水口を開閉するためのものであり、排水口に設けられた栓蓋と、当該栓蓋を上下動可能に支持する支持軸とを備えている（例えば、特許文献１等参照）。また、栓蓋は、その背面に形成された取付穴に前記支持軸が挿通されるとともに、前記取付穴を形成する部位の内周に設けられた爪部が、支持軸の外周に設けられた凹部に対して入り込むことで、支持軸に取付けられる。加えて、排水口の閉鎖は、支持軸の下動に伴い、槽体や槽体に設けられた部材（例えば、排水口と排水用の配管とを接続するための排水口部材など）に栓蓋の外縁部が接触することでなされる。
【先行技術文献】
【特許文献】
【０００３】
【特許文献１】特開２００６−６３５７０号公報
【発明の概要】
【発明が解決しようとする課題】
【０００４】
ところで、排水栓を閉鎖する際の位置へと支持軸を配置した際には、支持軸上に前記爪部が載置され支持軸に対して栓蓋が非取付状態のときであっても、槽体に水を入れると、水圧により栓蓋が押圧され、栓蓋により排水口があたかも閉鎖されたような状態となり得る。この場合には、槽体等に対する栓蓋の密着性が不十分であることから、水は徐々に排水口から流れ出ることとなるが、単位時間当たりに流れ出る水量は少ないため、槽体に水を溜めることは可能である。そのため、槽体の使用者は、実際には支持軸に対して栓蓋が取付けられていないことに気付くことなく、槽体の使用を続けてしまうおそれがある。その結果、使用者の知らぬ間に、水が無駄に消費されてしまうおそれがある。
【０００５】
本発明は、上記事情を鑑みてなされたものであり、その目的は、支持軸に対して栓蓋が非取付状態であることを容易に認識させることができる排水栓装置を提供することにある。
【課題を解決するための手段】
【０００６】
以下、上記目的を解決するのに適した各手段につき、項分けして説明する。なお、必要に応じて対応する手段に特有の作用効果を付記する。
【０００７】
手段１．槽体の排水口に設けられる栓蓋と、
前記槽体に対して上下動可能な支持軸とを備え、
前記栓蓋は、
その背面に設けられ、下方側に開口する取付穴を形成する取付穴形成部と、
前記取付穴形成部の内周に設けられるとともに、内周側に突出し、径方向に沿って弾性変形可能な爪部とを有し、
前記支持軸は、
その外周に設けられ、前記爪部が入り込み可能な凹部と、
前記凹部よりも上方側に設けられ、前記取付穴に挿通可能な頭部とを有し、
前記凹部に前記爪部が入り込むとともに、前記取付穴に前記頭部が挿通されることで、前記支持軸に対して前記栓蓋を取付可能であり、
前記栓蓋が取付けられた前記支持軸の下動に伴い、前記槽体又は前記槽体に設けられた部材である接触対象部に前記栓蓋の外縁部が接触することで、前記排水口を閉鎖可能な排水栓装置であって、
前記頭部上に前記爪部が載置され前記支持軸に対して前記栓蓋が非取付状態であり、かつ、前記栓蓋及び前記支持軸が同軸上に配置されている場合に、前記支持軸を、前記栓蓋が取付けられているときにおいて前記排水口を閉鎖可能となる位置よりも下方側に配置したとき、前記栓蓋の外縁部全周が前記接触対象部から離間することを特徴とする排水栓装置。
（尚、「前記支持軸を、前記栓蓋が取付けられているときにおいて前記排水口を閉鎖可能となる位置よりも下方側に配置したとき」とあるのは、支持軸を前記位置に配置したときも含む。）
上記手段１によれば、支持軸の頭部上に栓蓋の爪部が載置され支持軸に対して栓蓋が非取付状態であり、かつ、栓蓋及び支持軸が同軸上に配置されている場合において、排水口を閉鎖可能な位置よりも下方側に支持軸を配置したとき、栓蓋の外縁部全周が、接触対象部から離間するように構成されている。すなわち、栓蓋が支持軸に対して正常に取付けられていない場合には、排水口を閉鎖しようとしたときであっても、栓蓋の外縁部が接触対象部から大きく浮くように構成されている。従って、栓蓋を視認することや、槽体から水が流出してしまう（槽体に水を溜めることができない）といったことにより、支持軸に対して栓蓋が非取付状態であることを容易に認識させることができる。
【０００８】
手段２．前記頭部上に前記爪部が載置され前記支持軸に対して前記栓蓋が非取付状態であり、かつ、前記栓蓋及び前記支持軸が同軸上に配置されているときにおける前記支持軸に対する前記栓蓋の上方側への突出量を、前記支持軸に対して前記栓蓋が取付けられた状態における前記支持軸に対する前記栓蓋の上方側への突出量よりも３ｍｍ以上大きくしたことを特徴とする手段１に記載の排水栓装置。
【０００９】
上記手段２によれば、頭部上に爪部が載置され、支持軸に対して栓蓋が非取付状態である場合には、支持軸に対して栓蓋が正常に取付けられている場合における栓蓋の位置よりも３ｍｍ以上上方側に栓蓋が配置されることとなる。従って、支持軸に対して栓蓋が非取付状態である場合において、接触対象部に対する栓蓋の外縁部の浮き上がり量を顕著に増大させることができる。その結果、支持軸に対して栓蓋が非取付状態であることを極めて容易に認識させることができる。
【００１０】
手段３．前記支持軸に取付けられた前記栓蓋の外縁部が前記接触対象部に接触した状態において、前記支持軸に対して下方側に向けた力が加えられていることを特徴とする手段１又は２に記載の排水栓装置。
【００１１】
上記手段３によれば、支持軸に取付けられた栓蓋の外縁部を接触対応部に対して圧接させることができ、栓蓋の外縁部と接触対応部との間のシール性を高めることができる。
【００１２】
一方で、上記手段３のように構成した場合には、支持軸に対して栓蓋が非取付状態であるときに、支持軸は、栓蓋が正常に取付けられている状態における配置位置よりも下方側に配置される。従って、支持軸がより下方側に配置される分だけ、栓蓋も下方側に配置されることとなり、栓蓋の外縁部が接触対象部に接触してしまいやすい。そのため、槽体の使用者が、支持軸に栓蓋が取付けられていないことに気付かないという事態が極めて生じてしまいやすい。
【００１３】
この点、上記手段１等を採用することで、上記手段３のように、支持軸に対して栓蓋が非取付状態であることに気付きにくくなりやすい構成であっても、槽体の使用者は、支持軸に対して栓蓋が非取付状態であることを容易に認識することができる。換言すれば、上記手段１等は、上記手段３の構成において、特に有意である。
【図面の簡単な説明】
【００１４】
【図１】排水口を閉鎖した状態における排水栓装置を示す一部破断正面図である。
【図２】栓蓋の構成を示す断面図である。
【図３】支持軸機構の構成を示す正面図である。
【図４】排水口を開放した状態における排水栓装置を示す一部破断正面図である。
【図５】支持軸に対して栓蓋が取付けられていない状態において、栓蓋が取付けられているときに排水口を閉鎖可能となる位置よりも下方側に支持軸を配置したときの栓蓋の配置位置を示す一部破断正面図である。
【図６】（ａ）は、支持軸に対して栓蓋が非取付状態であるときの突出量Ｌ１を示す拡大断面図であり、（ｂ）は、支持軸に対して栓蓋が正常に取付けられているときの突出量Ｌ２を示す拡大断面図である。
【図７】支持軸に対して栓蓋が取付けられていない状態において、栓蓋が取付けられているときに排水口を開放可能となる位置に支持軸を配置したときの栓蓋の配置位置を示す一部破断正面図である。
【発明を実施するための形態】
【００１５】
以下に、一実施形態について図面を参照しつつ説明する。図１に示すように、排水栓装置１は、槽体としての浴槽１００に取付けられており、排水口部材２（本発明の接触対象部に相当する）と、栓蓋３と、取付部材４と、支持軸機構５とを備えている。
【００１６】
浴槽１００は、成形品であり、その底壁部１０１に、浴槽１００内の水を排出するための排水口１０２を備えている。
【００１７】
排水口部材２は、樹脂等からなり、外周面に設けられた雄ねじ部２１と、自身の上端部から外周側に突出する鍔状の張出部２２とを備えている。また、排水口部材２は、前記雄ねじ部２１を外周に有する筒状部位が排水口１０２に挿通されるとともに、張出部２２が底壁部１０１の表面上に載置された状態で、排水口１０２に挿設されている。
【００１８】
加えて、排水口部材２に対して、浴槽１００から排出される水の流路となる筒状の配管１０３が取付けられることで、排水口１０２と配管１０３とが接続されている。より詳しくは、配管１０３は、自身の端部内周面に前記雄ねじ部２１を螺合可能な雌ねじ部１０４を備えており、当該雌ねじ部１０４に前記雄ねじ部２１を螺合し、前記張出部２２と配管１０３の上端面との間で底壁部１０１を挟み込むことにより、排水口部材２に配管１０３が取付けられるとともに、排水口部材２と配管１０３とが接続されている。
【００１９】
さらに、底壁部１０１の背面と、配管１０３の上端面との間には、ＥＰＤＭゴム等の弾性材料からなる環状のシール部材６が設けられている。シール部材６は、配管１０３に対する排水口部材２の螺合に伴い、底壁部１０１の背面及び配管１０３の上端面で挟圧された状態となっており、その結果、排水口１０２からの排水時における漏水防止が図られている。加えて、前記張出部２２と底壁部１０１の表面との間には、張出部２２及び底壁部１０１により挟み込まれたＥＰＤＭゴム等の弾性材料からなる環状のシール部材７が配置されており、浴槽１００及び排水口部材２間からの漏水防止が図られている。
【００２０】
栓蓋３は、排水口１０２に設けられており、支持軸機構５の後述する支持軸５１の上端部に取付けられている。また、栓蓋３は、樹脂等により形成されており、図２に示すように、自身の表面が浴槽１００の表面に露出する傘状部３１と、当該傘状部３１の背面中央に設けられた取付穴形成部３２とを備えている。傘状部３１は、自身の表面がステンレス等からなる被覆部３１Ａで覆われており、その結果、外観品質の向上が図られている。
【００２１】
また、取付穴形成部３２は、樹脂により筒状に形成されており、自身の内周に下方側に開口する取付穴３３を備えている。加えて、取付穴形成部３２は、その内周に、内周側に突出する爪部３４を周方向に沿って間欠的に複数有するとともに、自身の軸方向に沿って延び取付穴３３の開口に連通する切り欠き部（図示せず）を周方向に沿って間欠的に複数備えている。そして、前記切り欠き部の幅を変化させることで、前記爪部３４は、径方向に沿って弾性変形可能とされている。さらに、栓蓋３のうち傘状部３１の背面側外周部には、ゴム等の弾性材料からなる環状シール部３５が設けられており、排水口１０２の閉鎖時には、環状シール部３５の外周縁全周が排水口部材２の張出部２２に対して接触するようになっている。
【００２２】
図１に戻り、取付部材４は、樹脂等からなり、筒状の保持部４１と、当該保持部４１の外周に設けられた筒状のリング部４２とを備えている。保持部４１及びリング部４２は、周方向に沿って間欠的に設けられた連結部（図示せず）により連結されており、保持部４１の中心軸とリング部材４２の中心軸とが一致するように構成されている。
【００２３】
加えて、保持部４１は、自身の内周において支持軸機構５を保持している。また、保持部４１の少なくとも下端側には、保持部４１の中心軸方向に沿って延びる複数のスリット（図示せず）が設けられている。保持部４１に対して支持軸機構５を挿設する際には、前記スリットを拡幅し保持部４１の下端側開口を拡径した上で、前記下端側開口から保持部４１の内周へと支持軸機構５が挿入されるようになっている。
【００２４】
リング部４２は、その外周面に、周方向に沿って間欠的に設けられた複数の突起部４３を備えている。そして、前記突起部４３が排水口部材２の下端側内周に形成された段部２３に係止されるとともに、排水口部材２の内周から突出する突出部２４上にリング部４２の下面が載置されることで、リング部４２ひいては取付部材４が排水口部材２に取付けられている。
【００２５】
支持軸機構５は、樹脂等からなり、図３に示すように、棒状の支持軸５１と、当該支持軸５１の外周に位置する円筒部材５２とを備えている。支持軸５１は、その上端側外周に設けられ、周方向に沿って延びる環状の凹部５３と、当該凹部５３よりも上方側に形成され、少なくとも一部が凹部５３よりも大径の頭部５４とを具備している。そして、凹部５３に前記爪部３４が入り込むとともに、前記取付穴３３に頭部５４が挿通されることで、支持軸５１に対して栓蓋３が取付けられている（図１参照）。
【００２６】
加えて、支持軸５１には、押しボタン等により構成された操作部（図示せず）の変位を前記支持軸５１に伝達するための伝達部８１（例えば、金属製のワイヤー）の端部が接続されている。そして、前記操作部の変位に伴い、伝達部８１がその外周に設けられた外皮８２の内周にて往復移動することで、支持軸５１が浴槽１００に対して上下動するようになっている。具体的には、図１及び図４に示すように、前記操作部の変位により、上昇端（正確には上昇端よりも若干だけ下側）における支持軸５１のロックと、ロック解除に伴う支持軸５１の下動とが交互に行われ、ひいては操作部を操作する度に栓蓋３の上昇・下降（排水口１０２の開閉）が交互に行われるようになっている。
【００２７】
尚、本実施形態では、支持軸５１に取付けられた栓蓋３の外縁部（環状シール部３５）が排水口部材２に接触した状態において、円筒部材５２の内周に設けられたバネからなる弾性材料５５（図３参照）により、支持軸５１には下方側に向けた力が加えられるようになっており、ひいては栓蓋３の外縁部（環状シール部３５）が排水口部材２に対して圧接するようになっている。これを実現するために、本実施形態では、支持軸５１に栓蓋３が取付けられていない状態において、ロック解除に伴い支持軸５１が下動したときの支持軸５１の配置位置は、支持軸５１に栓蓋３が取付けられている状態において、ロック解除に伴い支持軸５１が下動し栓蓋３の外縁部（環状シール部３５）が排水口部材２に接触しているときの支持軸５１の配置位置よりも下方側となるように構成されている。そのため、排水栓１０２を閉鎖すべく支持軸５１を下方側に配置させた際に、支持軸５１（頭部５４）上に前記爪部３４が載置され、支持軸５１に対して栓蓋３が取付けられていない状態では、栓蓋３の外縁部が排水口部材２に接触してしまいやすく、浴槽１００の使用者は、支持軸５１に対して栓蓋３が正常に取付けられているものと誤って認識してしまいやすい。
【００２８】
そこで、本実施形態では、図５に示すように、頭部５４上に爪部３４が載置され支持軸５１に対して栓蓋３が非取付状態であり、かつ、かつ、栓蓋３及び支持軸５１が同軸上に配置されている（栓蓋３の中心軸及び支持軸５１の中心軸が一致している）場合に、栓蓋３が取付けられているときにおいて排水口１０２を閉鎖可能となる位置よりも下方側に支持軸５１を配置したとき、栓蓋３の外縁部（環状シール部３５）全周が排水口部材２から離間するように構成されている。特に、本実施形態では、この構成をより確実に実現すべく、図６（ａ），（ｂ）に示すように、頭部５４上に爪部３４が載置され支持軸５１に対して栓蓋３が非取付状態であり、かつ、栓蓋３及び支持軸５１が同軸上に配置されているときにおける支持軸５１に対する栓蓋３の上方側への突出量Ｌ１が、支持軸５１に対して栓蓋３が正常に取付けられた状態における支持軸５１に対する栓蓋３の上方側への突出量Ｌ２よりも３ｍｍ以上大きくされている。すなわち、頭部５４上に爪部３４が載置され栓蓋３が支持軸５１に正常に取付けられていない状態における、支持軸５１に対する栓蓋３の上方側への突出量Ｌ１が、栓蓋３が支持軸５１に正常に取付けられている状態における、支持軸５１に対する栓蓋３の上方側への突出量Ｌ２よりも遥かに大きなものとなるように構成されている。また、本実施形態では、取付穴３３に対する支持軸５１の挿通方向に沿った頭部５４の長さ及び取付穴３３の深さを増大させることで、突出量Ｌ１が突出量Ｌ２よりも３ｍｍ以上大きくなるように構成されている。
【００２９】
尚、図７に示すように、頭部５４上に爪部３４が載置され支持軸５１に対して栓蓋３が非取付状態であり、かつ、栓蓋３及び支持軸５１が同軸上に配置されている場合に、栓蓋３が取付けられているときにおいて排水口１０２を開放可能となる位置に支持軸５１を配置したときにも、栓蓋３の外縁部（環状シール部３５）全周が排水口部材２から離間することとなる。
【００３０】
以上詳述したように、本実施形態によれば、支持軸５１の頭部５４上に栓蓋３の爪部３４が載置され支持軸５１に対して栓蓋３が非取付状態であり、かつ、栓蓋３及び支持軸５１が同軸上に配置されている場合に、排水口１０２を閉鎖可能な位置よりも下方側に支持軸５１を配置したとき、栓蓋５の外縁部全周が、排水口部材２から離間するように構成されている。すなわち、栓蓋３が支持軸５１に対して正常に取付けられていない場合には、排水口１０２を閉鎖しようとしたときであっても、栓蓋３の外縁部が排水口部材２から大きく浮くように構成されている。従って、栓蓋３を視認することや、浴槽１００から水が流出してしまう（浴槽１００に水を溜めることができない）といったことにより、支持軸５１に対して栓蓋３が非取付状態であることを容易に認識させることができる。
【００３１】
さらに、本実施形態では、突出量Ｌ２に対して突出量Ｌ１が３ｍｍ以上大きなものとされている。そのため、頭部５４上に爪部３４が載置され、支持軸５１に対して栓蓋３が非取付状態である場合には、支持軸５１に対して栓蓋３が正常に取付けられている場合における栓蓋３の位置よりも３ｍｍ以上上方側に栓蓋３が配置されることとなる。従って、支持軸５１に対して栓蓋３が非取付状態である場合において、排水口部材２に対する栓蓋３の外縁部の浮き上がり量を顕著に増大させることができる。その結果、支持軸５１に対して栓蓋３が非取付状態であることをより一層容易に認識させることができる。
【００３２】
また、本実施形態では、支持軸５１に取付けられた栓蓋３の外縁部が排水口部材２に接触した状態において、支持軸５１に下方側に向けた力が加えられるように構成されている。従って、栓蓋３の外縁部と排水口部材２との間のシール性を高めることができる。
【００３３】
一方で、このような構成においては、爪部３４が頭部５４上に載置された支持軸５１を下動させた際に、支持軸５１及び栓蓋３がより下方側に配置されるため、栓蓋３の外縁部が排水口部材２に接触してしまうことが懸念されるが、上述の構成を採用することで、このような懸念を払拭することができる。
【００３４】
尚、上記実施形態の記載内容に限定されず、例えば次のように実施してもよい。勿論、以下において例示しない他の応用例、変更例も当然可能である。
【００３５】
（ａ）上記実施形態では、排水口１０２を閉鎖する際に、栓蓋３の外縁部（環状シール部３５）が排水口部材２に接触するように構成されており、排水口部材２が本発明の接触対象部に相当するものとされている。これに対して、排水口１０２を閉鎖する際に、栓蓋３の外縁部が浴槽１００に接触するように構成し、浴槽１００が本発明の接触対象部に相当するように構成してもよい。
【００３６】
（ｂ）上記実施形態では、槽体として浴槽１００を例示しているが、本発明の技術思想を適用可能な槽体は浴槽に限定されるものではない。従って、例えば、洗面化粧台や流し台などに本発明の技術思想を適用することとしてもよい。
【００３７】
（ｃ）上記実施形態において、支持軸機構５は、支持軸５１及び円筒部材５２を備えているが、保持部４１により円筒部材を構成することで、円筒部材５２を省略してもよい。すなわち、取付部材４の一部を、支持軸機構５の構成要素としてもよい。
【００３８】
（ｄ）上記実施形態における配管１０３の構成は例示であって、例えば、配管１０３として、内周面に雌ねじ部を有するリング状のものを用いてもよい。
【００３９】
（ｅ）上記実施形態における排水口部材２や栓蓋３、取付部材４等の構成材料は例示であって、これらの構成材料は特に限定されるものではない。
【００４０】
（ｆ）上記実施形態において、支持軸５１に下方側に向けた力を加えるための弾性部材５５は、円筒部材５２の内部に設けられているが、弾性部材の配置位置はこれに限定されるものではなく、例えば、弾性部材を操作部側に設けることとしてもよい。
【００４１】
（ｇ）上記実施形態では、取付穴３３に対する支持軸５１の挿通方向に沿った頭部５４の長さ及び取付穴３３の深さを増大させることで、突出量Ｌ１が突出量Ｌ２よりも３ｍｍ以上大きくされているが、突出量Ｌ１を突出量Ｌ２よりも３ｍｍ以上大きくするための手法はこれに限定されるものではない。例えば、前記挿通方向に沿った爪部３４の長さを増大させたり、取付穴３３の深さのみを増大させたりすることで、突出量Ｌ１を突出量Ｌ２よりも３ｍｍ以上大きくしてもよい。
【符号の説明】
【００４２】
１…排水栓装置、２…排水口部材（接触対象部）、３…栓蓋、３２…取付穴形成部、ｌ３３…取付穴、３４…爪部、５１…支持軸、５３…凹部、５４…頭部、１００…浴槽（槽体）、１０２…排水口。
【図１】
0005890750.tif 000002
【図２】
0005890750.tif 000003
【図３】
0005890750.tif 000004
【図４】
0005890750.tif 000005
【図５】
0005890750.tif 000006
【図６】
0005890750.tif 000007
【図７】
0005890750.tif 000008